(57)【要約】【課題】開閉部の揺動は好適に行いながら、フレキシブルケーブルに傷が生じ難く、かつ開閉部内に埃等の異物が侵入し難いシート処理装置を提供する。【解決手段】本発明のシート処理装置では、開閉部５は、第２読取部６やモータ８である電気部品を第２ヒンジ１３側から覆う後壁５Ｄを有している。後壁５Ｄには、開閉部５から本体部１に配線されるフレキシブルケーブルであるＦＦＣ５５と対向する箇所にＦＦＣ５５を挿通させる開口５３が形成されている。第２ヒンジ１３には、ＦＦＣ５５の外側で開口５３によって露出するＦＦＣ５５を覆うカバー部１３Ｆが設けられている。【選択図】図５
2015126480.tif 000002
【特許請求の範囲】
【請求項１】
シートに対して所定の処理を実行する処理部を備えたシート処理装置であって、
前記処理部に関与する制御部を収容する本体部と、
前記処理部に関与する電気部品を有するとともに、前記本体部に対して所定の揺動軸心周りで揺動可能に設けられ、前記本体部の上面を覆う閉鎖位置と、前記本体部の上面を露出させる開放位置とに変位可能な開閉部と、
前記本体部と前記開閉部との間に設けられ、前記揺動軸心を構成するヒンジと、
前記開閉部から導出され、前記電気部品と前記制御部とを接続するためのフレキシブルケーブルとを備え、
前記開閉部は、前記電気部品を前記ヒンジ側から覆う側壁を有し、
前記側壁には、前記開閉部から前記本体部に配線される前記フレキシブルケーブルと対向する箇所に開口が形成され、
前記ヒンジには、前記フレキシブルケーブルの外側で前記開口によって露出する前記フレキシブルケーブルを覆うカバー部が設けられていることを特徴とするシート処理装置。
【請求項２】
前記開閉部は、前記開口内において、前記揺動軸心と平行な支持軸心周りで前記フレキシブルケーブルを支持している請求項１記載のシート処理装置。
【請求項３】
前記支持軸心は前記揺動軸心と略同心であり、
前記開閉部は、前記開口内に前記フレキシブルケーブルを前記支持軸心で支持する支持壁を有する請求項２記載のシート処理装置。
【請求項４】
前記支持壁には、前記フレキシブルケーブルが前記支持軸心に沿って移動することを規制する規制部が形成されている請求項３記載のシート処理装置。
【請求項５】
前記ヒンジは、前記揺動軸心を構成する軸支部と、前記軸支部と一体をなし、前記本体部に上下動可能に取り付けられる基部とを有し、
前記カバー部は、前記基部の上昇により引き上げられる前記フレキシブルケーブルを覆う延設部を備えている請求項１乃至４のいずれか１項項記載のシート処理装置。
【請求項６】
前記ヒンジは前記揺動軸心を構成する軸支部を有し、
前記カバー部は前記軸支部と一体に形成されている請求項１乃至５のいずれか１項記載のシート処理装置。
【請求項７】
前記カバー部は、前記揺動軸心周りで湾曲している請求項１乃至６のいずれか１項記載のシート処理装置。
【請求項８】
前記電気部品は、前記シートに形成された画像を読み取る読取部である請求項１乃至７のいずれか１項記載のシート処理装置。
【発明の詳細な説明】
【技術分野】
【０００１】
本発明はシート処理装置に関する。
【背景技術】
【０００２】
シートに形成された画像を読み取る読取部を備えた画像読取装置が特許文献１に開示されている。この画像読取装置は、本体部、開閉部、ヒンジ及びケーブルを備えている。本体部は、読取部に関与する各種制御を実行する制御部を収容している。開閉部は、シートを搬送する搬送部、及び搬送部によって搬送されるシートの画像を読み取る読取部等の各種部品を収容している。また、開閉部は、本体部に対して所定の揺動軸心周りで揺動可能に設けられている。本体部の上面には、シートを静止させた状態でシートの画像を読み取るための原稿支持面が設けられる。そして、開閉部は、本体部の上面、すなわち原稿支持面を覆う閉鎖位置と、原稿支持面の上面を露出させる開放位置とに変位可能である。ヒンジは本体部と開閉部との間に設けられている。ヒンジは、揺動軸心を構成している。また、開閉部は、読取部からの画像データを本体部の制御部に伝送するケーブルを備える。ケーブルは、開閉部側から導出され、本体部の制御部に接続される。
【先行技術文献】
【特許文献】
【０００３】
【特許文献１】特開２００２−１９９１５６号公報
【発明の概要】
【発明が解決しようとする課題】
【０００４】
しかし、この種の画像読取装置では、開閉部から導出されるケーブルが剥き出しであるため、ケーブルに容易に接触でき、ケーブルが損傷しやすいという問題がある。
【０００５】
また、通常、画像読取装置の開閉部のヒンジは、原稿支持面にセットされる原稿が厚みのある書籍等の場合に備え、上下方向に変位可能に構成されている。このため、ケーブルには、開閉部の上下動に追従できるように、ある程度の撓みを持たせている。その撓んだ状態のケーブルが剥き出しになっていると、開閉部を開放位置と閉鎖位置との間で変位させる際に、開閉部の背面壁によって、ケーブルが装置前方に押し込まれる可能性がある。この場合、開閉部と本体部との間にケーブルを挟み込むこととなり、このような挟み込みもケーブルの破損につながる。
【０００６】
本発明は、上記従来の実情に鑑みてなされたものであって、開閉部と本体部との間に接続されるフレキシブルケーブルの損傷を抑制し、かつ開閉部の開閉動作を良好に行うことが可能なシート処理装置を提供することを目的とする。
【課題を解決するための手段】
【０００７】
本発明のシート処理装置は、シートに対して所定の処理を実行する処理部を備えたシート処理装置であって、
前記処理部に関与する制御部を収容する本体部と、
前記処理部に関与する電気部品を有するとともに、前記本体部に対して所定の揺動軸心周りで揺動可能に設けられ、前記本体部の上面を覆う閉鎖位置と、前記本体部の上面を露出させる開放位置とに変位可能な開閉部と、
前記本体部と前記開閉部との間に設けられ、前記揺動軸心を構成するヒンジと、
前記開閉部から導出され、前記電気部品と前記制御部とを接続するためのフレキシブルケーブルとを備え、
前記開閉部は、前記電気部品を前記ヒンジ側から覆う側壁を有し、
前記側壁には、前記開閉部から前記本体部に配線される前記フレキシブルケーブルと対向する箇所に開口が形成され、
前記ヒンジには、前記フレキシブルケーブルの外側で前記開口によって露出する前記フレキシブルケーブルを覆うカバー部が設けられていることを特徴とする。
【０００８】
本発明のシート処理装置では、開閉部の側壁におけるフラットケーブルと対向する箇所が開口となっている。そのため、開閉部を閉鎖位置と開放位置との間で変位させた場合に、開閉部の側壁がフラットケーブルと接触することを抑制できる。また、開閉部の揺動時に、開閉部の側壁によって、フラットケーブルが押し込まれることを抑制でき、その結果、開閉部と本体部との間にフラットケーブルが挟み込まれることを抑制できる。よって、開閉部から本体部に向けて導出されるフレキシブルケーブルが損傷することを抑制しつつ、開閉部の揺動を良好に行うことができる。
【０００９】
また、このシート処理装置では、ヒンジにカバー部が設けられ、カバー部が開口をフレキシブルケーブルの外側から覆うように構成されている。ヒンジは、開閉部が揺動しても変位しない部材であり、このようなヒンジにカバー部を設けることで、フラットケーブルを外側から確実に覆うことができる。また、カバー部は、開閉部に対して完全に別体であることから、開閉部の揺動を妨げることはなく、かつフレキシブルケーブルが開口から露出することを防止できる。さらに、開閉部内に開口を介して異物が侵入することを抑制できる。
【００１０】
したがって、本発明のシート処理装置は、開閉部と本体部との間を接続されるフレキシブルケーブルの損傷を抑制し、かつ開閉部の開閉動作を良好に行うことができる。
【００１１】
本発明のシート処理装置において、カバー部はヒンジと一体でもよく、別体でもよい。また、開口は、側壁の下端に形成された切欠きでもよい。
【００１２】
開閉部は、開口内において、揺動軸心と平行な支持軸心周りでフレキシブルケーブルを支持していることが好ましい。この場合、フレキシブルケーブルが揺動軸心と平行な支持軸心周りで支持されるため、開閉部の揺動時にフレキシブルケーブルに負荷がかからず、捻じれや左右方向への移動を生じ難い。
【００１３】
支持軸心は揺動軸心と略同心であることが好ましい。そして、開閉部は、開口内にフレキシブルケーブルを支持軸心で支持する支持壁を有することが好ましい。この構成によれば、支持壁を設けるという簡単な構成により、開閉部の揺動に伴う、フレキシブルケーブルの変位を良好に抑制できる。また、開閉部の一部を支持壁として形成することで、フレキシブルケーブルを支持するための別部材を設ける必要がない。
【００１４】
支持壁には、フレキシブルケーブルが支持軸心に沿って移動することを規制する規制部が形成されていることが好ましい。この場合、開閉部の揺動の際にフレキシブルケーブルが支持軸心の方向に移動するのを効果的に抑制することができる。
【００１５】
ヒンジは、揺動軸心を構成する軸支部と、軸支部と一体をなし、本体部に上下動可能に取り付けられる基部とを有し得る。そして、カバー部は、基部の上昇により引き上げられるフレキシブルケーブルを覆う延設部を備えていることが好ましい。この場合、ヒンジの上昇とともにフレキシブルケーブルが引き上げられても、カバー部の延設部がフレキシブルケーブルの引き上げられた部分を覆い、フレキシブルケーブルの損傷を抑制できる。また、ヒンジの上昇時に異物が本体部内に侵入するのを抑制できる。
【００１６】
ヒンジは揺動軸心を構成する軸支部を有し、カバー部は軸支部と一体に形成されていることが好ましい。この場合、ヒンジがカバー部を一体に有するため、部品点数を削減できる。
【００１７】
カバー部は、揺動軸心周りで湾曲していることが好ましい。この場合、開閉部の揺動時に側壁とカバー部との間に隙間を生じ難く、開閉部内に異物が侵入するのを効果的に抑制できる。
【００１８】
電気部品は、シートに形成された画像を読み取る読取部であり得る。この場合、読取部を備えた開閉部を有するシート処理装置において本発明の効果を享受できる。
【図面の簡単な説明】
【００１９】
【図１】実施例１の複合機の斜視図である。
【図２】実施例１の複合機の模式断面図である。
【図３】実施例１の複合機に係り、開閉部を閉鎖位置にした状態の背後からの斜視図である。
【図４】実施例１の複合機に係り、開閉部を開放位置にした状態の背後からの斜視図である。
【図５】実施例１の複合機に係り、開口及びヒンジの一部を拡大して示す図４の部分拡大斜視図である。
【図６】実施例１の複合機に係り、開口、フレキシブルケーブルであるフレキシブルフラットケーブル等を拡大して示す図４の部分拡大斜視図である。
【図７】実施例１の複合機に係り、図７（Ａ）は第１ヒンジの背面図、図７（Ｂ）は開閉部の開口周辺の背面図である。
【図８】実施例１の複合機に係り、図８（Ａ）は第２ヒンジの背面図、図８（Ｂ）は開閉部の開口周辺の背面図である。
【図９】実施例１の複合機に係り、開閉部を閉鎖位置にした状態の第２ヒンジの周辺及び第２ヒンジの断面図である。
【図１０】実施例１の複合機に係り、開閉部を閉鎖位置にした状態のカバー部の周辺の断面図である。
【図１１】実施例１の複合機に係り、開閉部を開放位置にした状態の第２ヒンジの周辺及び第２ヒンジの断面図である。
【図１２】実施例１の複合機に係り、開閉部を開放位置にした状態のカバー部の周辺の断面図である。
【図１３】実施例１の複合機に係り、開閉部を閉鎖位置で上昇させた状態の第２ヒンジの周辺及び第２ヒンジの断面図である。
【図１４】実施例１の複合機に係り、開閉部を閉鎖位置で上昇させた状態のカバー部の周辺の断面図である。
【図１５】実施例２の複合機に係り、第２ヒンジの背面図である。
【図１６】実施例２の複合機に係り、開閉部を閉鎖位置で上昇させた状態のカバー部の周辺の断面図である。
【発明を実施するための形態】
【００２０】
以下、本発明を具体化した実施例１、２について図面を参照しつつ説明する。
（実施例１）
実施例１の複合機は、本発明のシート処理装置の具体的態様の一例である。図１では、操作パネル１Ｐが設けられた側を装置の前側と規定し、操作パネル１Ｐに向かった場合に左手に来る側を左側と規定して、前後、左右及び上下の各方向を表示する。そして、図２以降の各図に示す各方向は、全て図１に示す各方向に対応させて表示する。
【００２１】
＜全体構成＞
図１〜４に示すように、この複合機は、本体部１、第１読取部３、開閉部５、第２読取部６、搬送部７、画像形成部９及び第１、２ヒンジ１１、１３を備えている。本体部１は略箱状体である。本体部１の前面には、タッチパネル等である操作パネル１Ｐが設けられている。
【００２２】
本体部１の上面には、プラテンガラス１５が配設されている。プラテンガラス１５の上面によって、読取対象の原稿を支持する原稿支持面１５Ａが形成されている。原稿には、用紙、ＯＨＰシート等であるシートの他、書籍等が含まれる。
【００２３】
第１読取部３は本体部１内の上側に収容されている。第１読取部３は、原稿支持面１５Ａの下側に位置するＣＩＳ（Contact Image Sensor）と、ＣＩＳを本体部１内で左右方向に往復動させる走査機構とを有している。
【００２４】
開閉部５は、原稿を搬送しながら読み取るための搬送装置を収容している。搬送装置は、詳細な説明は省略するが、複数の搬送ローラ、ピンチローラ、原稿を案内するガイド等によって構成されている。また、開閉部５内には、搬送装置によって搬送される原稿の画像を読み取る第２読取部６、搬送装置を駆動するモータ８等が設けられている。第２読取部６は、搬送装置により順次搬送されるシートの搬送方向に直交する前後方向に延設されたＣＩＳである。なお、第２読取部６及びモータ８が電気部品に相当する。第２読取部６には後述するフレキシブルフラットケーブル（ＦＦＣ）５５が接続され、モータ８には給電及び設置のための図示しないリード線が接続されている。実施例１においては、これらＦＦＣ及びリード線がフレキシブルケーブルである。以下、ＦＦＣ５５をフレキシブルケーブルとして説明する。
【００２５】
本体部１と開閉部５との間には、図３及び図４に示すように、揺動軸心Ｘ１を構成する第１、２ヒンジ１１、１３が設けられている。開閉部５は、第１、２ヒンジ１１、１３によって揺動軸心Ｘ１周りで揺動可能に本体部１に支持されている。揺動軸心Ｘ１は、原稿支持面１５Ａの後側の基準縁１５Ｂと平行に延びている。
【００２６】
図７、図９及び図１１に示すように、第１ヒンジ１１は、軸支部１１Ａと、軸支部１１Ａと一体をなす基部１１Ｂとを有している。軸支部１１Ａには、揺動軸心Ｘ１を中心軸とする円筒状の内周面１１Ｃが形成されている。また、軸支部１１Ａには、内周面１１Ｃを外部に開く切欠き１１Ｄが揺動軸心Ｘ１と平行に形成されている。軸支部１１Ａの外周には、揺動軸心Ｘ１と平行に延びる当接壁１１Ｅが基部１１Ｂとは逆方向に延びるように形成されている。
【００２７】
また、図５、図８及び図９に示すように、第２ヒンジ１３も、第１ヒンジ１１と同様、軸支部１３Ａと、軸支部１３Ａと一体をなす基部１３Ｂとを有している。軸支部１３Ａには、揺動軸心Ｘ１を中心軸とする円筒状の内周面１３Ｃが形成されている。また、軸支部１３Ａには、内周面１３Ｃを外部に開く切欠き１３Ｄが揺動軸心Ｘ１と平行に形成されている。軸支部１３Ａの外周には、揺動軸心Ｘ１と平行に延びる当接壁１３Ｅが基部１３Ｂとは逆方向に延びるように形成されている。当接壁１１Ｅ、１３Ｅは、開閉部５を開放位置に揺動する際、図１１に示す開閉部５の内壁５Ｋと当接し、開閉部５の開放位置を規制する。
【００２８】
一方、図７、図９及び図１１に示すように、開閉部５は、第２読取部６及びモータ８を第１、２ヒンジ１１、１３側から覆う後壁５Ｄを有している。後壁５Ｄが側壁に相当する。第１ヒンジ１が配置される側である後壁５Ｄ及び底壁には開口５１が形成され、図７に示すように、開口５１内には揺動軸心Ｘ１と平行に延びる軸部１５が形成されている。軸部１５には、図９及び図１１に示すように、揺動軸心Ｘ１を中心軸とする円筒状の外周面１５Ａと、揺動軸心Ｘ１を挟んで対向する一対の平行面１５Ｂとが形成されている。外周面１５Ａは、第１ヒンジ１１における軸支部１１Ａの内周面１１Ｃに対して回転可能に構成されている。一対の平行面１５Ｂは、揺動軸心Ｘ１と平行であるとともに、互いに平行である。平行面１５Ｂの間隔は、第１ヒンジ１１における軸支部１１Ａの切欠き１１Ｄを挿通可能に構成されている。第２ヒンジ１３及び開口５３については後述する。
【００２９】
また、図５、図８及び図９に示すように、第２ヒンジ１３が配置される側である後壁５Ｄ及び底壁には、開口５３が形成されている。開口５３内の左側には、開口５１と同様、揺動軸心Ｘ１と平行に延びる軸部１５が形成されている。軸部１５には、揺動軸心Ｘ１を中心軸とする円筒状の外周面１５Ａと、揺動軸心Ｘ１を挟んで対向する一対の平行面１５Ｂとが形成されている。外周面１５Ａは、第２ヒンジ１３における軸支部１３Ａの内周面１３Ｃに対して回転可能に構成されている。一対の平行面１５Ｂは、揺動軸心Ｘ１と平行であるとともに、互いに平行である。平行面１５Ｂの間隔は、第２ヒンジ１３における軸支部１３Ａの切欠き１３Ｄを挿通可能に構成されている。
【００３０】
また、図２に示すように、本体部１内には、給紙トレイ等からシートを搬送する搬送部７が設けられている。また、本体部１内には、搬送部７によって搬送されるシートに画像を形成する画像形成部９が設けられている。第１読取部３、第２読取部６、搬送部７、及び画像形成部９等は、本体部１における後方下側に配置される制御部１９によって制御される。
【００３１】
＜特徴的な構成＞
図５、図８及び図９に示すように、第２ヒンジ１３は、軸支部１３Ａの右側に板状のカバー部１３Ｆを一体に有している。カバー部１３Ｆの上端には、軸支部１３Ａと同様に、揺動軸心Ｘ１周りで湾曲する湾曲面１３Ｊが形成されている。なお、軸支部１３Ａとカバー部１３Ｆとの間には、図６に示すように、軸部１５を支持する壁１５Ｃを挿通させるためのスリット１３Ｇが形成されている。
【００３２】
開口５３は、開口５１より左右方向で倍程度長く形成されている。開閉部３内で第２読取部６に接続されたＦＦＣ５５は、第２読取部６から後方に配線された後、開閉部５の後壁５Ｄの内面に沿う方向に配線され、本体部１側に導かれている。開口５３内の右側には、そのＦＦＣ５５が上下方向に配線されている。そして、カバー部１３Ｆは、図３、図５及び図６に示すように、この開口５３内の右側において露出するＦＦＣ５５を外側から覆っている。
【００３３】
また、開口５３内には、図６、図８、図１０及び図１２に示すように、ＦＦＣ５５を支持する支持壁５７が開閉部５の底壁から垂直に形成されている。支持壁５７の上端は支持軸心Ｘ２を中心軸とする円筒面とされている。支持軸心Ｘ２は、図１０及び図１２に示すように、揺動軸心Ｘ１と略同心とされている。また、図８に示すように、支持壁５７の上端の左右の端部には、上方に突出する規制部５７Ａ、５７Ｂが形成されている。具体的には、第２読取部６に接続されたＦＦＣ５５は、図１０に示すように、開閉部５の底面に沿って後方に配線された後、支持壁５７の前側で開閉部５の底壁から上方向に持ち上げられ、規制部５７Ａ、５７Ｂ間で支持壁５７を跨いで配線された後、支持壁５７の後側を通って、本体部１に向けて下向きに配線されている。なお、ＦＦＣ５５は、両面テープ等により、支持壁５７の対向面と接着されていてもよい。この場合、ＦＦＣ５５と支持壁５７との間の位置ずれを抑制できる。
【００３４】
また、図９及び図１１に示すように、本体部１には、軸支部１１Ａ、１３Ａが上側に位置し、基部１１Ｂ、１３Ｂが下方に延びるように第１、２ヒンジ１１、１３を配置した状態において、基部１１Ｂ、１３Ｂを垂直に挿通させる挿通孔１７が形成されている。このため、基部１１Ｂ、１３Ｂは、図１３及び図１４に示すように、本体部１に上下動可能に取り付けられている。このように、第１、２ヒンジ１１、１３が上下動可能に取り付けられていることで、開閉部５は、上下方向に変位可能である。よって、厚みのある原稿が原稿支持面１５Ａに支持される場合には、第１、２ヒンジ１１，１３が上昇し、その上昇位置において、開閉部５が原稿支持面１５Ａを覆う位置に変位可能である。
【００３５】
このように、第１、２ヒンジ１１、１３の軸支部１１Ａ、１３Ａは、図９及び図１１に示すように、揺動軸心Ｘ１を構成している。そして、開閉部５は、第１、２ヒンジ１１、１３によって、原稿支持面１５Ａを覆う閉鎖位置と、原稿支持面１５Ａを露出させる開放位置との間で揺動可能である。原稿が薄い用紙等であれば、開閉部５は、開放位置でその原稿を原稿支持面１５Ａに載置可能とし、閉鎖位置でその原稿を上方から覆う。また、開閉部５は、図１３に示すように、第１、２ヒンジ１１、１３によって、閉鎖位置と、原稿支持面１５Ｂから一定距離持ち上げられた上昇位置との間で昇降可能である。原稿が厚い書籍等であれば、開閉部５は上昇位置でその原稿を上方から覆う。このため、ＦＦＣ５５は、支持壁５７を跨いだ後、図示しない弛みが確保されており、さらに下方に位置する本体部１内の制御部１９に接続されている。
【００３６】
ここで、ＦＦＣ５５に対向する開閉部５５の後壁５Ｄの部分は、開口５３となっている。よって、開閉部５が開放位置と閉鎖位置との間で揺動する際、ＦＦＣ５５と開閉部５の後壁５Ｄが接触することはない。また、開口５３から露出するＦＦＣ５５は、カバー部１３Ｆにより覆われている。そして、図１２に示すように、開閉部５が開放位置に変位した場合でも、第２ヒンジ１３は移動しない。よって、第２ヒンジ１３に一体的に設けられたカバー部１３Ｆも移動しないため、開閉部５５の変位に関係なく、カバー部１３Ｆは、開口５３から露出するＦＦＣ５５を覆う位置にある。
【００３７】
＜作動＞
この複合機によって複数枚の原稿を搬送しながら複写する場合、まず開閉部５を第１、２ヒンジ１１、１３によって揺動軸心Ｘ１周りで揺動させて閉鎖位置とする。原稿を開閉部５に設けられる給紙トレイ（図示せず）にセットし、各原稿の自動給紙を行いながら、第２読取部６により原稿の画像を読み取ることが可能である。本体部１内の第１読取部３を用いることで、一度の搬送により原稿の両面から画像を読み取ることも可能である。また、本体部１内では、シートが搬送部７によって搬送され、読み取られた画像が画像形成部９によって印刷され、排出される。こうして原稿の複写が完了する。
【００３８】
また、この複合機によって手動で原稿の複写を行おうとする場合、開閉部５を第１、２ヒンジ１１、１３によって揺動軸心Ｘ１周りで揺動させて開放位置とし、その原稿を本体部１の原稿支持面１５Ａに支持させる。そして、開閉部５を第１、２ヒンジ１１、１３によって揺動軸心Ｘ１周りで揺動させて閉鎖位置とし、第１読取部３によってその原稿の画像を読み取ることが可能である。そして、同様に、原稿の複写が完了する。
【００３９】
なお、この複合機によって書籍等の厚い原稿の複写を行おうとする場合、開閉部５を開放位置とし、その原稿を本体部１の原稿支持面１５Ａに支持させた後、開閉部５を上昇位置としつつ、閉鎖位置に変位させる。この後、第１読取部３によってその原稿の画像を読み取ることが可能である。そして、同様に、原稿の複写が完了する。
【００４０】
＜作用効果＞
この複合機では、開閉部５の後壁５ＤにおけるＦＦＣ５５と対向する箇所が開口５３となっている。そのため、開閉部５を閉鎖位置と開放位置との間で変位させた場合に、開閉部５の後壁５ＤがＦＦＣ５５と接触することを抑制できる。また、開閉部５の揺動時に、開閉部５の後壁５Ｄによって、ＦＦＣ５５が押し込まれることを抑制でき、その結果、開閉部５と本体部１との間にＦＦＣ５５が挟み込まれることを抑制できる。よって、開閉部５から本体部１に向けて導出されるＦＦＣ５５が損傷することを抑制しつつ、開閉部５の揺動を良好に行うことができる。
【００４１】
また、この複合機では、第２ヒンジ１３にカバー部１３Ｆが設けられ、カバー部１３Ｆが開口５３をＦＦＣ５５の外側から覆うように構成されている。第２ヒンジ１３は、開閉部５が揺動しても変位しない部材であり、このような第２ヒンジ１３にカバー部１３Ｆを設けることで、ＦＦＣ５５を外側から確実に覆うことができる。また、カバー部１３Ｆは、開閉部５に対して完全に別体であることから、開閉部５の揺動を妨げることはなく、かつＦＦＣ５５が開口５３から露出することを防止できる。さらに、開閉部５内に開口５３を介して異物が侵入することを抑制できる。
【００４２】
特に、この複合機では、開閉部５は、図１０及び図１２に示すように、開口５３内において、揺動軸心Ｘ１と平行な支持軸心Ｘ２周りでＦＦＣ５５を支持している。このため、ＦＦＣ５５が揺動軸心Ｘ１と平行な支持軸心Ｘ２周りで支持されるため、開閉部５の揺動時にＦＦＣ５５に負荷がかからず、捻じれや左右方向への移動を生じ難い。
【００４３】
また、カバー部１３Ｆが揺動軸心Ｘ１周りで湾曲しているため、開閉部５の揺動時に後壁５Ｄとカバー部１３Ｆとの間に隙間を生じ難く、開閉部５内に異物が侵入するのを効果的に抑制できる。
【００４４】
したがって、この複合機は、開閉部５と本体部１との間を接続されるＦＦＣの損傷を抑制し、かつ開閉部５の開閉動作を良好に行うことができる。
【００４５】
また、この複合機では、開閉部５は、開口５３内にＦＦＣ５５を支持軸心Ｘ２で支持する支持壁５７を有し、支持軸心Ｘ２が揺動軸心Ｘ１と略同心となっている。このため、支持壁５７を設けるという簡単な構成により、開閉部５の揺動に伴う、ＦＦＣ５５の変位を良好に抑制できる。また、開閉部５の一部を支持壁５７として形成することで、ＦＦＣ５５を支持するための別部材を設ける必要がない。
【００４６】
さらに、この複合機では、支持壁５７に規制部５７Ａ，５７Ｂが形成されているため、開閉部５の揺動の際にＦＦＣ５５が支持軸心Ｘ２の方向に移動するのを効果的に抑制することができる。
【００４７】
また、第２ヒンジ１３が第１ヒンジ１１と同様に揺動軸心Ｘ１を構成する軸支部１３Ａを有しつつ、カバー部１３Ｆが軸支部１３Ａと一体に形成されているため、部品点数を削減できる。
【００４８】
（実施例２）
実施例２の複合機では、図１５に示す第２ヒンジ１４を採用している。この第２ヒンジ１４は、実施例１の第２ヒンジ１３と同様、軸支部１４Ａ、基部１４Ｂ、当接壁１４Ｅ、カバー部１４Ｆ、スリット１４Ｇ及び湾曲面１４Ｊを有している。そして、カバー部１４Ｆは延設部１４Ｈを一体に有している。他の構成は実施例１の複合機と同様である。
【００４９】
この複合機では、図１６に示すように、第２ヒンジ１４が上昇した場合に、その上昇に追従して引き上げられるＦＦＣ５５をカバー部１４Ｆの延設部１４Ｈが外側から覆うように構成されている。よって、ＦＦＣ５５の損傷を抑制できる。また、第２ヒンジ１４の上昇時に異物が本体部１内に侵入するのを抑制できる。他の作用効果は実施例１の複合機と同様である。
【００５０】
以上において、本発明を実施例１、２に即して説明したが、本発明は上記実施例１、２に制限されるものではなく、その趣旨を逸脱しない範囲で適宜変更して適用できることはいうまでもない。
【００５１】
例えば、上記実施例１、２では、ＦＦＣ５０をフレキシブルケーブルとして説明したが、リード線がフレキシブルケーブルであっても同様である。
【００５２】
また、上記実施例１、２では、第２ヒンジ１３、１４にカバー部１３Ｆ、１４Ｆを設けたが、ＦＦＣ５５が第１ヒンジ１１側に配線される場合には、第１ヒンジ側にカバー部を設けてもよい。カバー部の形状は実施例１、２の形状に限定されない。
【００５３】
カバー部１３Ｆ、１４Ｆは軸支部１３Ａ、１４Ａと一体であってもよく、別体で製造されて軸支部に固定されてもよい。また、開口５３は、後壁５Ｄに切欠きで形成されてもよい。
【産業上の利用可能性】
【００５４】
本発明は複合機等に利用可能である。
【符号の説明】
【００５５】
１９…制御部
１…本体部
６、８…電気部品（６…第２読取部、８…モータ）
Ｘ１…揺動軸心
５…開閉部
１１、１３…第１、２ヒンジ
５５…フレキシブルケーブル（ＦＦＣ）
５Ｄ…側壁（後壁）
５３…開口
１３Ｆ、１４Ｆ…カバー部
Ｘ２…支持軸心
５７…支持壁
５７Ａ、５７Ｂ…規制部
１４Ｈ…延設部
【図１】
2015126480.tif 000003
【図２】
2015126480.tif 000004
【図３】
2015126480.tif 000005
【図４】
2015126480.tif 000006
【図５】
2015126480.tif 000007
【図６】
2015126480.tif 000008
【図７】
2015126480.tif 000009
【図８】
2015126480.tif 000010
【図９】
2015126480.tif 000011
【図１０】
2015126480.tif 000012
【図１１】
2015126480.tif 000013
【図１２】
2015126480.tif 000014
【図１３】
2015126480.tif 000015
【図１４】
2015126480.tif 000016
【図１５】
2015126480.tif 000017
【図１６】
2015126480.tif 000018